(57)【要約】【課題】  薄型にしても負荷側端子の接続作業が容易な配線用遮断器を提供する。【解決手段】  ケース４背面に配置した電源側端子２及び前面に配置した負荷側端子３をケース４の上下方向に配列し、電源側端子２及び負荷側端子３の全ての端子を、平面視で操作レバー１を含む中心線Ｍ上に配置した。そして、負荷側端子３をケース４前面に形成した傾斜面４ａ上に配置し、上方から負荷側端子３を視認し易くした。【選択図】  図１
2006339081.tif 000002
【特許請求の範囲】
【請求項１】
遮断器ケース上面に電路を開閉操作する操作レバーを備え、背面に電源側端子、前面に負荷側端子を配置し、負荷側端子が速結端子で構成される配線用遮断器であって、
電源側端子及び負荷側端子の全ての端子をケースの上下方向に配列すると共に、ケース前面の少なくとも負荷側端子形成部位を傾斜形成して斜め上方に向かせ、上方から負荷側端子を視認可能としたことを特徴とする配線用遮断器。
【請求項２】
電源側端子及び負荷側端子の全ての端子は、平面視で操作レバーを含む略同一直線上に配置されて成る請求項１記載の配線用遮断器。
【請求項３】
負荷側端子は１つの傾斜面上に形成されて成る請求項１又は２記載の配線用遮断器。
【発明の詳細な説明】
【技術分野】
【０００１】
本発明は、分電盤内に設置され、各部屋のコンセント等に接続された負荷配線を接続する配線用遮断器に関する。
【背景技術】
【０００２】
従来、配線用遮断器の電源側端子、負荷側端子は、共に導体バー或いは負荷側配線の接続作業をし易いように横方向に列べて配置されていた。しかし、近年の住宅は、使用する電気機器が増加すると共に使用電気量も増加し、分電盤内に設置する配線用遮断器の数も増加傾向にある。その結果、その収納に大きなスペースが必要となってきており、従来のものより幅を狭くして小型化した配線用遮断器が開発され普及している（例えば、特許文献１参照）。この薄型の遮断器は、負荷側端子がネジを使用しない速結端子で構成され、例えば幅が従来の半分の１６ｍｍで形成されたものがあり、配線用遮断器の設置スペースを一気に半減させることが可能となっている。
【０００３】
【特許文献１】特開平１１−１６４７９号公報
【特許文献２】特開２００３−２１７４２６号公報
【発明の開示】
【発明が解決しようとする課題】
【０００４】
上記特許文献１に開示された配線用遮断器は、負荷側端子が速結端子で、電源側端子がネジ締め形態であるが、電源側端子も例えば特許文献２に示すようなネジを使わないプラグ式にして縦配置にし、合わせて速結端子の負荷側端子も縦配置にすれば、更に薄型にすることが可能である。しかし、その場合、電源側端子は予め分電盤に組み付けられた導体バーに差し込みする操作のため、縦配置にしても端子の接続操作に支障をきたさないのに比べ、負荷側端子は個々に電線を挿入して接続するため、縦配置にした場合電線の接続孔が見辛くなり、接続操作が難しくなる問題が発生した。
【０００５】
そこで、本発明はこのような問題点に鑑み、負荷側端子を縦配置にしても接続作業が容易な配線用遮断器を提供することを目的とする。
【課題を解決するための手段】
【０００６】
上記課題を解決する為に、請求項１に記載の発明は、遮断器ケース上面に電路を開閉操作する操作レバーを備え、背面に電源側端子、前面に負荷側端子を配置し、負荷側端子が速結端子で構成される配線用遮断器であって、電源側端子及び負荷側端子の全ての端子をケースの上下方向に配列すると共に、ケース前面の少なくとも負荷側端子形成部位を傾斜形成して斜め上方に向かせ、上方から負荷側端子を視認可能としたことを特徴とする。
この構成により、端子を縦方向に配列しても、上方から負荷側端子を視認できるので、分電盤に組み付けた状態で前方から配線の接続操作がし易く幅を小さくしても接続作業が難しくなる事がないし、接続状態も見やすいので接続不良が発生し難い。また、負荷側端子は僅かに上方を向く程度なので、従来の垂直面形成に比べてケースの前方への突出量は僅かで済む。
【０００７】
請求項２の発明は、請求項１に記載の発明において、電源側端子及び負荷側端子の全ての端子は、平面視で操作レバーを含む略同一直線上に配置されて成ることを特徴とする。
この構成により、配線用遮断器のケース幅を最小にする事ができる。
【０００８】
請求項３の発明は、請求項１又は２に記載の発明において、負荷側端子は１つの傾斜面上に形成されて成ることを特徴とする。
この構成により、ケース前面は１つの傾斜面を設ければ良く、負荷側端子形成面から凹凸や段部を無くすことができるので、負荷側端子を視認し易いし遮断器ケースの作製が容易となる。
【発明の効果】
【０００９】
本発明によれば、遮断器ケース上方から負荷側端子を視認できるので、分電盤に組み付けた状態で前方から負荷側端子を視認でき、配線の接続操作がし易いし接続状態も見やすく接続不良が発生し難い。
【発明を実施するための最良の形態】
【００１０】
以下、本発明を具体化した実施の形態を、図面に基づいて詳細に説明する。図１は本発明に係る配線用遮断器の一例を示し、（ａ）は斜視説明図、（ｂ）は平面説明図であり、１は電路を開閉操作する操作レバー、２は分電盤内に配設された電源ラインを構成する導体バーに接続する電源側端子、３はコンセント等に接続された負荷配線を接続する負荷側端子である。また、７は電源側端子２に接続するために導体バーから分岐した分岐バー、８は負荷側端子３に挿入接続する負荷配線を示している。
【００１１】
操作レバー１は、合成樹脂で形成されたケース４の上面略中央に設置され、前後方向に回動操作することでケース４内に組み込まれた図示しない遮断機構が操作されて、電源側端子２と負荷側端子３が接続／開放されるよう構成されている。尚、ケース４内には過電流検知機構（図示せず）が組み込まれ、過電流を検知したら遮断機構が開動作する。
【００１２】
電源側端子２はケース４背面に設けられ、平坦な垂直面で形成されたケース４背面に上下に２つの端子が形成されている。この電源側端子２は、横方向に貫通してコ字状に切り欠いて形成され、幅広の分岐バー７を容易に挿入接続できるし、分電盤内に配設された導体バーを直接挿入して接続することも可能としている。
【００１３】
負荷側端子３はケース４の前面に設けられている。ケース４前面は下部に垂直な立ち上がり面を有し、途中から後方に向けて傾斜させて形成された一様な傾斜面４ａを有している。負荷側端子３はこの傾斜面４ａに２つの端子を縦に配置して形成され、電源側端子２及び負荷側端子３の全ての端子と操作レバー１とは、図１（ｂ）に示すように平面視で示す中心線Ｍ上に一直線で配置され、ケース４は僅かな幅で形成されている。
また、負荷側端子３は速結端子で形成され、傾斜面４ａに直交するケース４内に向けて電線挿入空間５を有し、挿入した負荷配線８の電線を係止する係止金具（図示せず）を内部に備えている。そして、９は接続した負荷配線８を抜き取る際に操作する解除ボタンであり、係止金具の係止を解除して負荷配線８の抜き取りを容易としている。
【００１４】
このように構成された配線用遮断器は次のように分電盤に組み付けられて使用される。分電盤内には導体バーで形成された電源線が配設され、個々の配線用遮断器の設置位置に合わせてその配線用遮断器の電源側端子２に挿入するための分岐バー７が配置されており、配線用遮断器を組み付けることで電源側端子２はこの分岐バー７が連結され電源に接続される。そして、組み付けた配線用遮断器前面の傾斜面４ａに直交する斜め前方から、負荷配線８の電線を挿入して負荷側端子３は接続される。
【００１５】
このように、ケース前面を傾斜面とすることで、端子を縦に配列してケース幅を薄くしても分電盤に組み付けた状態で前方から負荷側端子を視認でき、配線の接続操作がし易いし接続状態も見やすく接続不良が発生し難い。また、負荷側端子は僅かに上方を向く程度なので、従来の垂直形成した場合に比べてもケースの前方への突出量は僅かで済み、幅だけでなく前後方向の小型化もし易い。
また、個々の端子を平面視で操作レバーを含む同一直線上に配置することで、配線用遮断器のケース幅を最小にする事ができる。
更に、ケース前面には１つの傾斜面を設けるだけで、負荷側端子形成面から凹凸や段部が無いので、負荷側端子を視認し易いし遮断器ケースの作製が容易となる。
【００１６】
尚、負荷側端子３の電線挿入空間５は、電線を傾斜面４ａに直交する方向に挿入させなくとも良く、図２（ａ）に示すように縦に形成して上方から負荷配線を挿入して接続するようにしても良い。こうすることで、端子が見やすく、負荷配線の挿入操作が更にし易くなる。また、図２（ｂ）に示すように横向きに形成し、負荷配線を前方から挿入して接続するようにしても良い。こうすることで、接続した負荷配線の分電盤前方への突出量を小さくできる。
【００１７】
図３は、本発明の配線用遮断器の他の例を示し、上記図１とは負荷側端子３を設けた前面の形状が異なっている。図示するように、傾斜面４ａは２段に形成され、個々の端子が独立した傾斜面４ａ，４ａに夫々設けられ、傾斜面間は垂直面で連結されている。尚、上記図１の構成と同一の構成要素には同一の符号を付与し、説明を省略する。また、電源側端子は省略してある。
このように、端子形成部位のみ傾斜面としても良く上方からの視認性を維持できるし、垂直面を増やすことでケースの前方への突出量を最小限に抑えることができる。
【００１８】
尚、上記実施形態は、電源側端子２がケース４背面に一対設けられた構成となっているが、単相３線式の場合は、３端子入力として上記特許文献２に開示されているような切換機構を設けて切り換えて入力する構成としても良い。また、負荷側端子３の２つの端子は上下に一直線上に配列しなくても良く、僅かに左右にずらしても良い。そうすることで、ケース幅を狭くしたまま負荷側端子の上方からの視認性を更に向上できる。
【図面の簡単な説明】
【００１９】
【図１】本発明に係る配線用遮断器の実施形態の一例を示し、（ａ）は斜視説明図、（ｂ）は平面説明図である。
【図２】図１の負荷側端子の変更例を示す図である。
【図３】本発明に係る配線用遮断器の他の例を示す斜視説明図である。
【符号の説明】
【００２０】
１・・操作レバー、２・・電源側端子、３・・負荷側端子、４・・ケース、４ａ・・傾斜面。
【図１】
2006339081.tif 000003
【図２】
2006339081.tif 000004
【図３】
2006339081.tif 000005